(57)【要約】【課題】人体検知センサの無駄な電力消費を抑制する。【解決手段】人体検知センサによって人体を検知して自動的に吐止水制御を行う自動水栓装置が、予め定められた時間帯毎の過去の吐止水制御の回数に応じて、現在の時間帯における人体検知センサの動作周期を、第１周期又は前記第１周期よりも短い周期群のうちいずれか１つの第２周期に設定する周期設定手段と、周期設定手段が動作周期を第２周期に設定した後、現在の時間帯の間に吐止水制御が行われると、現在の時間帯の残りの時間のうち少なくとも一部の時間における人体検知センサの動作周期を、第２周期の設定から、設定された第２周期よりも長く第１周期を含む周期群のうちいずれか１つの第３周期の設定に変更する周期変更手段と、を備える。【選択図】  図６
2016044521.tif 000002
【特許請求の範囲】
【請求項１】
人体検知センサによって人体を検知して自動的に吐止水制御を行う自動水栓装置であって、
予め定められた時間帯毎の過去の吐止水制御の回数に応じて、現在の時間帯における前記人体検知センサの動作周期を、第１周期又は前記第１周期よりも短い周期群のうちいずれか１つの第２周期に設定する周期設定手段と、
前記周期設定手段が前記動作周期を前記第２周期に設定した後、前記現在の時間帯の間に前記吐止水制御が行われると、前記現在の時間帯の残りの時間のうち少なくとも一部の時間における前記人体検知センサの動作周期を、前記第２周期の設定から、設定された前記第２周期よりも長く前記第１周期を含む周期群のうちいずれか１つの第３周期の設定に変更する周期変更手段と、
を備える自動水栓装置。
【請求項２】
前記周期変更手段は、前記周期設定手段が前記動作周期を前記第２周期に設定した後、前記現在の時間帯の間に前記吐止水制御が前記時間帯毎の過去の吐止水制御の回数のうち前記現在の時間帯と同じ時間帯における過去の吐止水制御の回数に応じた回数行われると、前記現在の時間帯の残りの時間のうち少なくとも一部の時間における前記人体検知センサの動作周期を、前記第２周期の設定から、前記第３周期の設定に変更する、
請求項１に記載の自動水栓装置。
【請求項３】
前記第３周期は、前記第１周期以上の長さである、
請求項２に記載の自動水栓装置。
【請求項４】
前記周期変更手段は、前記周期設定手段が前記動作周期を前記第２周期に設定した後、前記現在の時間帯の間に前記吐止水制御が行われると、吐止水制御が行われてから任意の時間を経過した後に、前記現在の時間帯の残りの時間のうち少なくとも一部の時間における前記人体検知センサの動作周期を、前記第２周期の設定から、前記第３周期の設定に変更する、
請求項１乃至請求項３の何れか１項に記載の自動水栓装置。
【請求項５】
水が流れる流路が設けられた装置本体と、
前記水の水力により発電する発電部と、
前記発電部に接続された蓄電部と、
をさらに備え、
前記周期変更手段は、前記蓄電部の電力により駆動し、前記周期設定手段が前記動作周期を前記第２周期に設定した後、前記現在の時間帯の間に前記吐止水制御が行われると、前記吐止水制御の時間に応じて前記任意の時間を変化する、
請求項４に記載の自動水栓装置。
【請求項６】
前記周期変更手段は、前記周期設定手段が前記動作周期を前記第２周期に設定した後、前記現在の時間帯の間に前記吐止水制御が行われると、前記回数のうち前記現在の時間帯と同じ時間帯における過去の吐止水制御の回数に応じて前記任意の時間を変化する、
請求項４に記載の自動水栓装置。
【請求項７】
前記周期変更手段は、前記周期設定手段が前記動作周期を前記第１周期に設定した後、前記現在の時間帯の間に前記吐止水制御が行われると、前記吐止水制御が行われてから予め定められた時間を経過するまで前記人体検知センサの動作周期を、前記第１周期の設定から前記第１周期よりも短い周期群のうちいずれか１つの第４周期の設定に変更して、前記第４周期の設定を維持する、
請求項１乃至請求項６の何れか１項に記載の自動水栓装置。
【発明の詳細な説明】
【技術分野】
【０００１】
本発明は、自動水栓装置に関する。
【背景技術】
【０００２】
従来から、人体検知センサによって人体を検知し、自動的に水栓の吐止水制御を行う自動水栓装置が知られている。
【０００３】
これに関し、特許文献１には、自動水栓装置の消費電力を節約するために、１日を所定の時間枠に分割して各時間枠における過去の使用履歴を学習し、その学習結果により現在の時間枠の人体検知センサの動作周期を設定する自動水栓装置が知られている。
【先行技術文献】
【特許文献】
【０００４】
【特許文献１】特開２００３−２７８２００号公報
【発明の概要】
【発明が解決しようとする課題】
【０００５】
しかしながら、特許文献１に記載の自動水栓装置では、学習した時間帯毎の過去の使用回数を基に人体検知センサの動作周期を短くした場合において、自動水栓装置を使用した後に、その時間帯中に自動水栓装置が全く使用されなかった場合でも、センサの動作周期が短くなったままだと、人体検知センサの無駄な電力消費が発生する。例えばある時間帯の過去の使用回数が３回だった場合、その時間帯と同じ現在の時間帯でまだ１回も使用されていない状態で使われる可能性より、３回使用された後に使われる可能性の方が低くなるため、３回使用された後にセンサの動作周期を短くしたままでは無駄な消費となる可能性が高くなる。  
【０００６】
そこで、本発明は、上述した課題を解決するためになされたものであり、人体検知センサの無駄な電力消費を抑制することができる自動水栓装置を提供することを目的の一つとしている。
【課題を解決するための手段】
【０００７】
本発明の第１態様に係る自動水栓装置は、人体検知センサによって人体を検知して自動的に吐止水制御を行う自動水栓装置であって、予め定められた時間帯毎の過去の吐止水制御の回数に応じて、現在の時間帯における前記人体検知センサの動作周期を、第１周期又は前記第１周期よりも短い周期群のうちいずれか１つの第２周期に設定する周期設定手段と、前記周期設定手段が前記動作周期を前記第２周期に設定した後、前記現在の時間帯の間に前記吐止水制御が行われると、前記現在の時間帯の残りの時間のうち少なくとも一部の時間における前記人体検知センサの動作周期を、前記第２周期の設定から、設定された前記第２周期よりも長く前記第１周期を含む周期群のうちいずれか１つの第３周期の設定に変更する周期変更手段と、を備える自動水栓装置。
【０００８】
この構成において、周期設定手段が予め定められた時間帯毎の過去の吐止水制御の回数（自動水栓装置の使用回数）に応じて現在の時間帯における人体検知センサの動作周期を第２周期に設定した後、現在の時間帯の間に吐止水制御が行われると、現在の時間帯の間に吐止水制御（自動水栓装置の使用）が１回も行われていないときと比べると、現在の時間帯の残りの時間の間に自動水栓装置が使用される可能性は低くなる。このような自動水栓装置の使用される可能性が低くなった状況のときに、この構成では、周期変更手段が、現在の時間帯の残りの時間のうち少なくとも一部の時間における人体検知センサの動作周期を、第２周期の設定から、第２周期よりも長く第１周期を含む周期群のうちいずれか１つの第３周期の設定に変更することで、人体検知センサの電力消費を抑制することができる。すなわち、第２周期に設定された後自動水栓装置が使用される可能性が低くなった状況になっても、第１周期の設定のときよりも電力消費の高い第２周期の設定を続けるより、第２周期の設定のままよりも電力消費の低い第３周期の設定に変更する方が、人体検知センサの無駄な電力消費を抑制することができる。
【０００９】
本発明の第２態様に係る自動水栓装置では、第１態様において、前記周期変更手段は、前記周期設定手段が前記動作周期を前記第２周期に設定した後、前記現在の時間帯の間に前記吐止水制御が前記時間帯毎の過去の吐止水制御の回数のうち前記現在の時間帯と同じ時間帯における過去の吐止水制御の回数に応じた回数行われると、前記現在の時間帯の残りの時間のうち少なくとも一部の時間における前記人体検知センサの動作周期を、前記第２周期の設定から、前記第３周期の設定に変更する。
【００１０】
この構成において、周期設定手段が予め定められた時間帯毎の過去の吐止水制御の回数に応じて現在の時間帯における人体検知センサの動作周期を第２周期に設定した後、現在の時間帯の間に吐止水制御が過去の同じ時間帯における吐止水制御の回数に応じた回数行われると、それ未満の回数行われるときと比べると、現在の時間帯の残りの時間の間に自動水栓装置の使用される可能性はさらに低くなる。このように自動水栓装置の使用される可能性がさらに低くなった状況のときに、第１周期の設定のときよりも電力消費の高い第２周期の設定を続けるとより電力の無駄になるため、周期変更手段は、現在の時間帯の残りの時間のうち少なくとも一部の時間における人体検知センサの動作周期を、第２周期の設定から、第３周期の設定に変更する。この結果、人体検知センサの無駄な電力消費をさらに抑制することができる。
【００１１】
本発明の第３態様に係る自動水栓装置では、第２態様において、前記第３周期は、前記第１周期以上の長さである。
【００１２】
第３態様が従属する第２態様の構成において、周期設定手段が予め定められた時間帯毎の過去の吐止水制御の回数に応じて現在の時間帯における人体検知センサの動作周期を第２周期に設定した後、現在の時間帯の間に吐止水制御が過去の同じ時間帯における吐止水制御の回数に応じた回数行われると、過去の吐止水制御の回数に応じて第１周期に設定するときに比べても、現在の時間帯の残りの時間の間に自動水栓装置の使用される可能性は同等以上に低くなる。したがって、第３態様の構成では、第３周期を第１周期以上の長さとすることで、第３周期が第２周期よりも長く且つ第１周期よりも短い場合に比べて、人体検知センサの無駄な電力消費をさらにまた抑制することができる。
【００１３】
本発明の第４態様に係る自動水栓装置では、第１乃至第３態様の何れか１つの態様において、前記周期変更手段は、前記周期設定手段が前記動作周期を前記第２周期に設定した後、前記現在の時間帯の間に前記吐止水制御が行われると、吐止水制御が行われてから任意の時間を経過した後に、前記現在の時間帯の残りの時間のうち少なくとも一部の時間における前記人体検知センサの動作周期を、前記第２周期の設定から、前記第３周期の設定に変更する。
【００１４】
この構成によれば、第２周期に設定された後自動水栓装置の使用される可能性が低くなった状況になって人体検知センサの無駄な電力消費を抑制できるとともに、再度自動水栓装置の使用される可能性が高い吐止水制御が行われてから任意の時間は動作周期の設定を第２周期に維持することで、使用者の使い勝手を向上することができる。
【００１５】
本発明の第５態様に係る自動水栓装置では、第４態様において、水が流れる流路が設けられた装置本体と、前記水の水力により発電する発電部と、前記発電部に接続された蓄電部と、をさらに備え、前記周期変更手段は、前記蓄電部の電力により駆動し、前記周期設定手段が前記動作周期を前記第２周期に設定した後、前記現在の時間帯の間に前記吐止水制御が行われると、前記吐止水制御の時間に応じて前記任意の時間を変化する。
【００１６】
この構成では、水の水力により発電する発電部を備えているので、吐止水制御の時間（吐水時間）が長い程発電量が上がる。したがって、周期変更手段が、吐止水制御の時間に応じて任意の時間を変化、例えば吐止水制御の時間が長い程、発電部から蓄電部に貯まった電力を用いて任意の時間を長くすることで、使用者の使い勝手を向上することができる。
【００１７】
本発明の第６態様に係る自動水栓装置では、第４態様において、前記周期変更手段は、前記周期設定手段が前記動作周期を前記第２周期に設定した後、前記現在の時間帯の間に前記吐止水制御が行われると、前記回数のうち前記現在の時間帯と同じ時間帯における過去の吐止水制御の回数に応じて前記任意の時間を変化する。
【００１８】
この構成によれば、過去の吐止水制御が多い時間帯では、現在の時間帯において吐止水制御の後に再度使用される可能性が高いため、例えば任意の時間を長く変化することで消費を犠牲にして使い勝手を上げ、過去の吐止水制御が少ない時間帯では、現在の時間帯において吐止水制御の後に再度使用される可能性が低いため、例えば任意の時間を短く変化することで使い勝手を犠牲にして消費を抑制させることができる。これにより、再度使用される可能性が低い状況において消費を抑制させるとともに、再度使用される可能性が高い状況においては使い勝手を上げることができる。  
【００１９】
本発明の第７態様に係る自動水栓装置では、第１乃至第６態様の何れか１つの態様において、前記周期変更手段は、前記周期設定手段が前記動作周期を前記第１周期に設定した後、前記現在の時間帯の間に前記吐止水制御が行われると、前記吐止水制御が行われてから予め定められた時間を経過するまで前記人体検知センサの動作周期を、前記第１周期の設定から前記第１周期よりも短い周期群のうちいずれか１つの第４周期の設定に変更して、前記第４周期の設定を維持する。
【００２０】
この構成によれば、周期設定手段が動作周期を第１周期に設定した状況、すなわち、予め定められた時間帯毎の過去の吐止水制御の回数から見て自動水栓装置の使用される可能性が低い状況において人体検知センサの無駄な電力消費を抑制することができる。また、この構成によれば、第１周期に設定された現在の時間帯においても、吐止水制御が行われると、その吐止水制御が行われてから予め定められた時間を経過するまで第１周期の設定から第４周期の設定に変更して、第４周期の設定を維持するので、使用者の使い勝手を上げることができる。
【発明の効果】
【００２１】
本発明の自動水栓装置によれば、人体検知センサの無駄な電力消費を抑制することができる。
【図面の簡単な説明】
【００２２】
【図１】本発明の第１実施形態に係る自動水栓装置の側面断面図である。
【図２】第１実施形態である自動水栓装置の概略構成を示すブロック図である。
【図３】第１実施形態に係る自動水栓装置のコントローラの概略構成を示すブロック図である。
【図４】図３に示す使用履歴テーブルの一例を説明する説明図である。
【図５】自動水栓装置で行われる人体検知に基づいた吐水に関する動作を説明するフローチャートである。
【図６】自動水栓装置で行われる人体検知センサの動作周期に関する動作を説明するフローチャートである。
【図７】（Ａ）は、第１実施形態において、図６に示す動作により人体検知センサの赤外線ＬＥＤの動作周期が設定される様子の一例を示す図である。（Ｂ）は、第１実施形態において、図６に示す動作により人体検知センサの赤外線ＬＥＤの動作周期が設定及び変更される様子の一例を示す図である。（Ｃ）は、従来技術の動作により人体検知センサの動作周期が設定される様子を示す図である。
【図８】第２実施形態において、自動水栓装置で行われる人体検知センサ１５の動作周期に関する動作を説明するフローチャートである。
【図９】（Ａ）は、第２実施形態において、図８に示す動作により人体検知センサの赤外線ＬＥＤの動作周期が設定される様子の一例を示す図である。（Ｂ）は、第２実施形態において、図８に示す動作により人体検知センサの赤外線ＬＥＤの動作周期が設定及び変更される様子の一例を示す図である。（Ｃ）は、従来技術の動作により人体検知センサの動作周期が設定される様子を示す図である。
【図１０】第３実施形態において、自動水栓装置で行われる人体検知センサの動作周期に関する動作を説明するフローチャートである。
【図１１】（Ａ）は、第３実施形態において、図１０に示す動作により人体検知センサの赤外線ＬＥＤの動作周期が設定される様子の一例を示す図である。（Ｂ）は、第３実施形態において、図１０に示す動作により人体検知センサの赤外線ＬＥＤの動作周期が設定及び変更される様子の一例を示す図である。（Ｃ）は、従来技術の動作により人体検知センサの動作周期が設定される様子を示す図である。
【図１２】第３実施形態において、自動水栓装置で行われる人体検知センサの動作周期に関する動作を説明するフローチャートである。
【図１３】（Ａ）は、第４実施形態において、図１２に示す動作により人体検知センサの赤外線ＬＥＤの動作周期が設定される様子の一例を示す図である。（Ｂ）は、第４実施形態において、図１２に示す動作により人体検知センサの赤外線ＬＥＤの動作周期が設定及び変更される様子の一例を示す図である。（Ｃ）は、従来技術の動作により人体検知センサの動作周期が設定される様子を示す図である。
【発明を実施するための形態】
【００２３】
以下、添付図面を参照しながら本発明の複数の実施形態について説明する。理解を容易にするため、各図面において同一の構成要素に対しては可能な限り同一の符号を付し、重複する説明は省略する。
【００２４】
＜第１実施形態＞
図１は、本発明の第１実施形態に係る自動水栓装置１０の側面断面図である。図２は、第１実施形態である自動水栓装置の概略構成を示すブロック図である。
【００２５】
図１に示すように、自動水栓装置１０は、洗面台や流し台等の不図示のボウルに隣接するカウンター等の所定の設置部材１１に設置される。
【００２６】
自動水栓装置１０は、設置部材１１に固定された水栓本体１２と、水栓本体１２の内部に搭載された発電部１３と、発電部１３で発生した電力を貯める蓄電部１４と、蓄電部１４に蓄えられた電力で駆動し、自動水栓装置１０の使用者を感知する人体検知センサ１５と、人体検知センサ１５の感知に応じて外部からの電力供給を受けずに蓄電部１４に貯められた電力量を用いて水栓本体１２の吐水口１６からの吐水・止水を制御（吐水口１６の吐止水制御）する制御手段であるコントローラ１７と、を備えている。
【００２７】
また、水栓本体１２の内部には、人体検知センサ１５の検知結果に基づいて、吐水口１６への流路を開閉する開閉手段である電磁弁１９、コントローラ１７の制御機能を確保するための電池であるバックアップ電池２０及び吐水口１６から吐水する湯水の温度を変化させるための湯水混合バルブ２２などが配置され、設置部材１１の下面側から上面側へ向かって配管された給水管２３及び給湯管２４がそれぞれ湯水混合バルブ２２に接続されている。
【００２８】
自動水栓装置１０の使い方は従来の自動水栓と同様であり、吐水口１６近傍の人体検知センサ１５の感知領域に向かって使用者が手を差し出したり、引っ込めたりすると、吐水口１６から自動的に湯水を吐水したり、止水したりする。また、水栓本体１２の側面に設けられた不図示の温調レバーを手動操作すると、湯水混合バルブ２２が作動して湯水の混合比率が変化し、吐水口１６から吐水する湯水の温度を調節することができる。
【００２９】
図２に示すように、人体検知センサ１５は、例えば、反射式の赤外線センサ等であって、赤外光を発光する赤外線ＬＥＤ１５ａ及び、赤外線の受光量を検知する受光素子１５ｂを備えている。第１実施形態の自動水栓装置１０のコントローラ１７、人体検知センサ１５、及び、電磁弁１９は蓄電部１４に蓄えられた電力で駆動するため、発電部１３によって発電が行われていない期間、即ち水を吐水していない期間は、なるべく電力を消費しないことが好ましい。しかし、使用者がいつ自動水栓装置１０を使用するかは分からないため、第１実施形態の自動水栓装置１０においては、所定の周期で人体検知センサ１５の赤外線ＬＥＤ１５ａを点滅させている。このようにすることで、赤外線ＬＥＤ１５ａを常に点灯させたままにするよりも、電力消費量を少なくすることができる。例えば、第１実施形態の自動水栓装置１０では、赤外線ＬＥＤ１５ａの動作周期を第１周期（１Ｈｚ）としている。
【００３０】
さらに、第１実施形態の自動水栓装置１０では、過去の使用履歴から使用者が多いと予測される時間帯では赤外線ＬＥＤ１５ａの動作周期を、通常時の周期である第１周期よりも短い周期群のうちいずれか１つの第２周期に設定する。第１実施形態の自動水栓装置１０では、この第２周期を２Ｈｚとしている。このようにすることで、使用者が自動水栓装置１０の前に手などを差し出してから、コントローラ１７が人体を検知するまでの間隔が短くなり、自動水栓装置１０から水が吐水されるまでの間隔を短くすることができる。
【００３１】
図３は、第１実施形態に係る自動水栓装置１０のコントローラ１７の概略構成を示すブロック図である。
【００３２】
図３に示すように、コントローラ１７は、上記制御を実現するため、記憶部３０と、記録手段３２と、吐止水制御手段３４と、周期設定手段３６と、周期変更手段３８と、を備えている。各手段は、コントローラ１７が、メモリからプログラムを読み出してＣＰＵにより実行することにより実現してもよいし、コントローラ１７を構成する論理回路により実現してもよい。
【００３３】
記憶部３０は、例えばメモリ等で構成されている。記憶部３０は、使用履歴テーブル４０を有している。使用履歴テーブル４０は、予め定められた時間帯毎に自動水栓装置１０が過去に使用された回数、すなわち過去の吐止水制御の回数が記録されたテーブルである。
【００３４】
図４は、図３に示す使用履歴テーブル４０の一例を説明する説明図である。
【００３５】
図４に示すように、使用履歴テーブル４０は、時間帯の記載欄４０Ａと、吐止水制御の回数（過去の自動水栓装置１０の使用回数）の記載欄４０Ｂと、を含む。
【００３６】
時間帯の記載欄４０Ａには、例えば、１日２４時間が２時間毎に区分されて記載されている。時間帯の区分は、０時〜２時から始まって、２時〜４時、４時〜６時と続いていき、２２時〜０時で終わる。吐止水制御の回数の記載欄４０Ｂには、時間帯の記載欄４０Ａに記載された過去の時間帯にそれぞれ行われた吐止水制御の回数が記載されている。なお、この吐止水制御の回数は、曜日毎で且つ時間帯毎に記載されてもよいし、日にち毎で且つ時間帯毎に記載されてもよい。また、一週間や一ヶ月の同じ時間帯毎の平均回数であってもよい。
【００３７】
図３に戻って、記録手段３２は、記憶部３０をアクセスして、予め定められた時間帯毎に吐止水制御手段３４の吐止水制御の回数を使用履歴テーブル４０内に記録する。
【００３８】
吐止水制御手段３４は、人体検知センサ１５の感知に応じて外部からの電力供給を受けずに蓄電部１４に貯められた電力量を用いて水栓本体１２の吐水口１６からの吐水・止水を制御する。
【００３９】
周期設定手段３６は、予め定められた時間帯毎の過去の吐止水制御の回数に応じて、現在の時間帯における人体検知センサ１５の動作周期を、第１周期又は第１周期よりも短い周期群のうちいずれか１つの第２周期に設定する。
【００４０】
周期変更手段３８は、周期設定手段３６が動作周期を第２周期に設定した後、現在の時間帯の間に吐止水制御が行われると、現在の時間帯の残りの時間のうち少なくとも一部の時間における人体検知センサ１５の動作周期を、第２周期の設定から、設定された第２周期よりも長く第１周期を含む周期群のうちいずれか１つの第３周期の設定に変更する。特に、第１実施形態では、現在の時間帯の間に吐止水制御が１回行われると、現在の時間帯の残りの時間全てにおける人体検知センサ１５の動作周期を、第２周期の設定から、設定された第２周期よりも長く第１周期の設定に変更する。
【００４１】
次に、第１実施形態に係る自動水栓装置１０においてコントローラ１７の記録手段３２と吐止水制御手段３４で行われる制御について、図５を用いて説明する。図５は自動水栓装置１０で行われる人体検知に基づいた吐水に関する動作を説明するフローチャートである。なお、図５に示す動作は、予め定められた時間帯になった瞬間毎に開始する。
【００４２】
（ステップＳＰ１０）
記録手段３２は、吐止水制御の回数（自動水栓装置１０の使用回数）となる変数ｋに「０」を代入する（ｋ＝０）。そして、記録手段３２は、吐止水制御手段３４に処理を渡し、吐止水制御手段３４は、ステップＳＰ１２の処理に移行する。
【００４３】
（ステップＳＰ１２）
吐止水制御手段３４は、人体検知センサ１５が人体を検知したか否か判定する。そして、吐止水制御手段３４は、肯定判定した場合にはステップＳＰ１４の処理に移行し、否定判定した場合にはステップＳＰ１２の処理に戻る。
【００４４】
（ステップＳＰ１４）
吐止水制御手段３４は、記録手段３２に処理を渡し、記録手段３２は、変数ｋに「１」を加算する（ｋ＝ｋ＋１）。そして、記録手段３２は、吐止水制御手段３４に処理を渡し、吐止水制御手段３４は、ステップＳＰ１６の処理に移行する。
【００４５】
（ステップＳＰ１６）
吐止水制御手段３４は、電磁弁１９を開いて、吐水口１６から水を吐水する。そして、吐止水制御手段３４は、ステップＳＰ１８の処理に移行する。
【００４６】
（ステップＳＰ１８）
吐止水制御手段３４は、人体検知センサ１５の人体検知が続いているか否か判定する。そして、吐止水制御手段３４は、肯定判定した場合にはステップＳＰ１８の処理に戻り、否定判定した場合にはステップＳＰ２０の処理に移行する。
【００４７】
（ステップＳＰ２０）
吐止水制御手段３４は、電磁弁１９を閉じて、吐水口１６からの水を止水する。そして、吐止水制御手段３４は、ステップＳＰ２２の処理に移行する。
【００４８】
（ステップＳＰ２２）
吐止水制御手段３４は、現在の時間帯が経過したか否か判定する。そして、吐止水制御手段３４は、肯定判定した場合にはステップＳＰ２４の処理に移行し、否定判定した場合にはステップＳＰ１２の処理に戻る。
【００４９】
（ステップＳＰ２４）
吐止水制御手段３４は、記録手段３２に処理を渡す。記録手段３２は、記憶部３０をアクセスして、変数ｋの値を、使用履歴テーブル４０内の現在の時間帯に対応する吐止水制御の回数の記載欄４０Ｂに記録する（図４参照。）。なお、吐止水制御手段３４は、記載欄４０Ｂに既に回数が記録されている場合は、例えばその値とｋの値との平均値を記録する。
【００５０】
次に、第１実施形態に係る自動水栓装置１０においてコントローラ１７の周期設定手段３６と周期変更手段３８で行われる制御について、図６を用いて説明する。図６は自動水栓装置１０で行われる人体検知センサ１５の動作周期に関する動作を説明するフローチャートである。なお、図６に示す動作は、予め定められた時間帯（図４参照）になった瞬間毎に開始する。
【００５１】
（ステップＳＰ３０）
周期設定手段３６は、記憶部３０をアクセスして、使用履歴テーブル４０内の現在の時間帯に対応する過去の吐止水制御の回数を取得する。そして、周期設定手段３６は、ステップＳＰ３２の処理に移行する。
【００５２】
（ステップＳＰ３２）
周期設定手段３６は、取得した回数に応じて、現在の時間帯における人体検知センサ１５の赤外線ＬＥＤ１５ａの動作周期を、例えば第１周期としての１Ｈｚ又は第２周期としての２Ｈｚに設定する。例えば、周期設定手段３６は、取得した回数が閾値（例えば１０回）未満の場合には赤外線ＬＥＤ１５ａの動作周期を１Ｈｚに設定し、取得した回数が閾値（例えば１０回）以上の場合には赤外線ＬＥＤ１５ａの動作周期を２Ｈｚに設定する。そして、周期設定手段３６は、周期変更手段３８に処理を渡し、周期変更手段３８は、ステップＳＰ３４の処理に移行する。
【００５３】
（ステップＳＰ３４）
周期変更手段３８は、赤外線ＬＥＤ１５ａの動作周期の設定が２Ｈｚであるか否か判定する。周期変更手段３８は、肯定判定した場合にはステップＳＰ３６の処理に移行し、否定判定した場合には図６に示す処理を終える。
【００５４】
（ステップＳＰ３６）
周期変更手段３８は、周期設定手段３６が動作周期を第２周期に設定した後であると認識して、その後に吐止水制御手段３４による吐止水制御が行われたか否かを判定する。そして、周期変更手段３８は、肯定判定した場合にはステップＳＰ４０の処理に移行し、否定判定した場合にはステップＳＰ３８の処理に移行する。
【００５５】
（ステップＳＰ３８）
周期変更手段３８は、現在の時間帯が経過したか否か判定する。そして、肯定判定した場合には図６に示す処理を終え、否定判定した場合にはステップＳＰ３６の処理に戻る。
【００５６】
（ステップＳＰ４０）
周期変更手段３８は、現在の時間帯の残りの時間のうち少なくとも一部の時間における人体検知センサ１５の赤外線ＬＥＤ１５ａの動作周期を、第２周期の設定から、設定された第２周期よりも長く第１周期を含む周期群のうちいずれか１つの第３周期の設定に変更する。例えば、周期変更手段３８は、現在の時間帯の残りの時間全部における赤外線ＬＥＤ１５ａの動作周期を、２Ｈｚの設定から、１Ｈｚの設定に変更する。そして、周期変更手段３８は、図６に示す処理を終える。
【００５７】
図７（Ａ）は、第１実施形態において、図６に示す動作により人体検知センサ１５の赤外線ＬＥＤ１５ａの動作周期が設定される様子の一例を示す図である。図７（Ｂ）は、第１実施形態において、図６に示す動作により人体検知センサ１５の赤外線ＬＥＤ１５ａの動作周期が設定及び変更される様子の一例を示す図である。図７（Ｃ）は、従来技術の動作により人体検知センサ１５の動作周期が設定される様子を示す図である。なお、図中の菱形から伸びる棒線は、吐止水制御があった時間を示している。
【００５８】
図７（Ａ）〜図７（Ｃ）では、一例として２０時から２２時の間の１つの時間帯とそれに続く２２時から０時の間のもう一つの時間帯が示されている。図７（Ａ）において、２０時から２２時の間の時間帯では、動作周期が２Ｈｚに設定されており、また、２２時から０時の間では、動作周期が１Ｈｚに設定されている。これは、図４に示すように２０時から２２時の間では過去の吐止水制御の回数が１５回で、閾値としての１０回以上であるので、人体検知の精度を高めるために、周期設定手段３６によって１Ｈｚよりも周期が短くなるように設定されているからである。また、２２時から０時の間では過去の吐止水制御の回数が６回で、閾値としての１０回未満であるので、人体検知センサ１５の無駄な電力消費を抑制するために、周期設定手段３６によって２Ｈｚよりも周期が長くなるように設定されているからである。
【００５９】
ここで、従来技術では、図７（Ｃ）に示すように、２０時から２２時の現在の時間帯において周期設定手段３６が赤外線ＬＥＤ１５ａの動作周期を２Ｈｚに設定した後は、現在の時間帯の間に吐止水制御が行われたとしても２Ｈｚの設定が維持されている。現在の時間帯の間に吐止水制御が行われると、現在の時間帯の間に吐止水制御が１回も行われていないときと比べると、現在の時間帯の残りの時間の間に自動水栓装置が使用される可能性は低くなる。このような自動水栓装置の使用される可能性が低くなった状況のときにまで、短周期である２Ｈｚを維持しておくと、人体検知センサ１５の無駄な電力消費が発生し得る。
【００６０】
そこで、第１実施形態に係る自動水栓装置１０では、このような自動水栓装置１０の使用される可能性が低くなった状況のときに、周期変更手段３８が、２０時から２２時の現在の時間帯の残りの時間全部における赤外線ＬＥＤ１５ａの動作周期を、第２周期としての２Ｈｚの設定から、第２周期よりも長く第１周期を含む周期群のうちいずれか１つの第３周期としての１Ｈｚの設定に変更する。したがって、図７（Ｂ）に示すように、２０時から２２時の現在の時間帯において周期設定手段３６が赤外線ＬＥＤ１５ａの動作周期を２Ｈｚに設定した後、現在の時間帯の間に吐止水制御が行われると、赤外線ＬＥＤ１５ａの動作周期が１Ｈｚの設定に変更されている。
【００６１】
この結果、第１実施形態に係る自動水栓装置１０によれば、２Ｈｚの設定が維持されている場合に比べて、人体検知センサ１５の電力消費を抑制することができる。すなわち、第２周期に設定された後自動水栓装置１０が使用される可能性が低くなった状況になっても、第１周期の設定のときよりも電力消費の高い第２周期の設定を続けるより、第２周期の設定のままよりも電力消費の低い第３周期の設定に変更する方が、人体検知センサ１５の無駄な電力消費を抑制することができる。また、これにより、人体検知センサ１５の製品寿命を長くすることができる。
【００６２】
なお、第１実施形態では、２２時から０時の現在の時間帯において周期設定手段３６が赤外線ＬＥＤ１５ａの動作周期を１Ｈｚに設定した後は、電力消費抑制の観点から、現在の時間帯の間に吐止水制御が行われたとしても１Ｈｚの設定が維持されている。
【００６３】
＜第２実施形態＞
次に、本発明の第２実施形態に係る自動水栓装置について説明する。第２実施形態に係る自動水栓装置は、第１実施形態に係る自動水栓装置１０と構成は同じだが、その機能、特に動作周期の変更の仕方が異なる。
【００６４】
すなわち、第２実施形態では、周期変更手段３８は、周期設定手段３６が動作周期を第２周期に設定した後、現在の時間帯の間に吐止水制御が時間帯毎の過去の吐止水制御の回数のうち現在の時間帯と同じ時間帯における過去の吐止水制御の回数に応じた回数行われると、現在の時間帯の残りの時間のうち少なくとも一部の時間における赤外線ＬＥＤ１５ａの動作周期を、第２周期の設定から、第３周期の設定に変更する。
【００６５】
具体的に、第２実施形態に係る自動水栓装置においてコントローラ１７の周期設定手段３６と周期変更手段３８で行われる制御について、図８を用いて説明する。図８は、第２実施形態において、自動水栓装置で行われる人体検知センサ１５の動作周期に関する動作を説明するフローチャートである。なお、図８に示す動作は、予め定められた時間帯になった瞬間毎に開始する。
【００６６】
図８中のステップＳＰ３０〜ステップＳＰ４０は、図６に示す処理と同様である。ただし、ステップＳＰ３４で周期変更手段３８が肯定判定した場合には、ステップＳＰ５０の処理に移行し、ステップＳＰ３８で周期変更手段３８が否定判定した場合には、ステップＳＰ５０の処理に戻る。
【００６７】
（ステップＳＰ５０）
周期変更手段３８は、周期設定手段３６が動作周期を第２周期に設定した後であると認識して、現在の時間帯の間に吐止水制御が時間帯毎の過去の吐止水制御の回数のうち現在の時間帯と同じ時間帯における過去の吐止水制御の回数と同じ回数行われたか否か判定する。周期変更手段３８は、肯定判定した場合にはステップＳＰ４０の処理に移行し、否定判定した場合にはステップＳＰ３８の処理に移行する。
【００６８】
図９（Ａ）は、第２実施形態において、図８に示す動作により人体検知センサ１５の赤外線ＬＥＤ１５ａの動作周期が設定される様子の一例を示す図である。図９（Ｂ）は、第２実施形態において、図８に示す動作により人体検知センサ１５の赤外線ＬＥＤ１５ａの動作周期が設定及び変更される様子の一例を示す図である。図９（Ｃ）は、従来技術の動作により人体検知センサ１５の動作周期が設定される様子を示す図である。なお、図中の菱形から伸びる棒線は、吐止水制御があった時間を示している。
【００６９】
図９（Ａ）〜図９（Ｃ）では、一例として１６時から１８時の間の１つの時間帯とそれに続く１８時から２０時の間のもう一つの時間帯が示されている。図９（Ａ）において、１６時から１８時の間の時間帯では、動作周期が２Ｈｚに設定されており、１８時から２０時の間の時間帯でも、動作周期が２Ｈｚに設定されている。これは、図４に示すように１６時から１８時の間では過去の吐止水制御の回数が１０回で、閾値としての１０回以上であるので、人体検知の精度を高めるために、周期設定手段３６によって１Ｈｚよりも周期が短くなるように設定されているからである。また、１８時から２０時の間でも吐止水制御の回数が２８回で、閾値としての１０回以上であるので、人体検知の精度を高めるために、周期設定手段３６によって１Ｈｚよりも周期が短くなるように設定されているからである。
【００７０】
ここで、従来技術では、図９（Ｃ）に示すように、１６時から１８時の現在の時間帯において周期設定手段３６が赤外線ＬＥＤ１５ａの動作周期を２Ｈｚに設定した後は、現在の時間帯の間に吐止水制御が何回行われたとしても２Ｈｚの設定が維持されている。１８時から２０時の時間帯も同様である。現在の時間帯の間に吐止水制御が何回も、特に吐止水制御が過去の同じ時間帯における吐止水制御の回数と同じ回数行われると、それ未満の回数行われるときと比べると、現在の時間帯の残りの時間の間に自動水栓装置の使用される可能性はさらに低くなる。このように自動水栓装置の使用される可能性がさらに低くなった状況のときに、第１周期の設定のときよりも電力消費の高い第２周期の設定を続けるとより電力の無駄になる。
【００７１】
そこで、第２実施形態に係る自動水栓装置では、このような自動水栓装置の使用される可能性が低くなった状況のときに、周期変更手段３８が、１６時から１８時の現在の時間帯の残りの時間全部における赤外線ＬＥＤ１５ａの動作周期を、第２周期としての２Ｈｚの設定から、第２周期よりも長く第１周期を含む周期群のうちいずれか１つの第３周期としての１Ｈｚの設定に変更する。したがって、図９（Ｂ）に示すように、１６時から１８時の現在の時間帯において周期設定手段３６が赤外線ＬＥＤ１５ａの動作周期を２Ｈｚに設定した後、現在の時間帯の間に吐止水制御が過去の同じ時間帯における吐止水制御の回数と同じ回数行われると、赤外線ＬＥＤ１５ａの動作周期が１Ｈｚの設定に変更されている。同様に、１８時から２０時の現在の時間帯において周期設定手段３６が赤外線ＬＥＤ１５ａの動作周期を２Ｈｚに設定した後、現在の時間帯の間に吐止水制御が過去の同じ時間帯における吐止水制御の回数と同じ回数行われると、赤外線ＬＥＤ１５ａの動作周期が１Ｈｚの設定に変更されている。
【００７２】
この結果、第２実施形態に係る自動水栓装置によれば、２Ｈｚの設定が維持されている場合に比べて、人体検知センサ１５の電力消費を抑制することができる。すなわち、第２周期に設定された後自動水栓装置１０が使用される可能性が低くなった状況になっても、第１周期の設定のときよりも電力消費の高い第２周期の設定を続けるより、第２周期の設定のままよりも電力消費の低い第３周期の設定に変更する方が、人体検知センサ１５の無駄な電力消費を抑制することができる。
【００７３】
＜第３実施形態＞
次に、本発明の第３実施形態に係る自動水栓装置について説明する。第３実施形態に係る自動水栓装置は、第１実施形態に係る自動水栓装置１０と構成は同じだが、その機能、特に動作周期の変更の仕方が異なる。
【００７４】
すなわち、第３実施形態では、周期変更手段３８は、周期設定手段３６が動作周期を第２周期に設定した後、現在の時間帯の間に吐止水制御が行われると、吐止水制御が行われてから任意の時間を経過した後に、現在の時間帯の残りの時間のうち少なくとも一部の時間における赤外線ＬＥＤ１５ａの動作周期を、第２周期の設定から、第３周期の設定に変更する。
【００７５】
具体的に、第３実施形態に係る自動水栓装置においてコントローラ１７の周期設定手段３６と周期変更手段３８で行われる制御について、図１０を用いて説明する。図１０は、第３実施形態において、自動水栓装置で行われる人体検知センサ１５の動作周期に関する動作を説明するフローチャートである。なお、図１０に示す動作は、予め定められた時間帯になった瞬間毎に開始する。
【００７６】
図１０中のステップＳＰ３０〜ステップＳＰ４０は、図６に示す処理と同様である。ただし、ステップＳＰ３４で周期変更手段３８が否定判定した場合には、ステップＳＰ６４の処理に移行し、ステップＳＰ３６で周期変更手段３８が肯定判定した場合には、ステップＳＰ６０の処理に移行する。また、ステップＳＰ４０の後、周期変更手段３８は、ステップＳＰ６２の処理に移行する。
【００７７】
（ステップＳＰ６０）
周期変更手段３８は、吐止水制御が行われてから予め定められた任意の時間、例えば１分経過したか否か判定する。そして、周期変更手段３８は、肯定判定した場合にはステップＳＰ４０の処理に移行し、否定判定した場合にはステップＳＰ６０の処理に戻る。
【００７８】
（ステップＳＰ６２）
周期変更手段３８は、現在の時間帯が経過したか否か判定する。そして、肯定判定した場合には図１０に示す処理を終え、否定判定した場合にはステップＳＰ６４の処理に移行する。
【００７９】
（ステップＳＰ６４）
周期変更手段３８は、吐止水制御手段３４による吐止水制御が行われたか否かを判定する。そして、周期変更手段３８は、肯定判定した場合にはステップＳＰ６８の処理に移行し、否定判定した場合にはステップＳＰ６６の処理に移行する。
【００８０】
（ステップＳＰ６６）
周期変更手段３８は、現在の時間帯が経過したか否か判定する。そして、肯定判定した場合には図１０に示す処理を終え、否定判定した場合にはステップＳＰ６４の処理に戻る。
【００８１】
（ステップＳＰ６８）
周期変更手段３８は、周期設定手段３６が動作周期を第１周期に設定した後と認識して、現在の時間帯の間に吐止水制御が行われると、吐止水制御が行われてから予め定められた時間を経過するまで赤外線ＬＥＤ１５ａの動作周期を、第１周期の設定から第１周期よりも短い周期群のうちいずれか１つの第４周期の設定に変更して、第４周期の設定を維持する。具体的には、周期変更手段３８は、現在の時間帯の間に吐止水制御が行われると、ステップＳＰ７０の処理も含め、吐止水制御が行われてから例えば１分を経過するまで赤外線ＬＥＤ１５ａの動作周期を、１Ｈｚの設定から２Ｈｚの設定に変更して、維持する。
【００８２】
（ステップＳＰ７０）
周期変更手段３８は、吐止水制御が行われてから予め定められた任意の時間、例えば１分経過したか否か判定する。そして、周期変更手段３８は、肯定判定した場合にはステップＳＰ４０の処理に移行し、否定判定した場合にはステップＳＰ７０の処理に戻る。
【００８３】
図１１（Ａ）は、第３実施形態において、図１０に示す動作により人体検知センサ１５の赤外線ＬＥＤ１５ａの動作周期が設定される様子の一例を示す図である。図１１（Ｂ）は、第３実施形態において、図１０に示す動作により人体検知センサ１５の赤外線ＬＥＤ１５ａの動作周期が設定及び変更される様子の一例を示す図である。図１１（Ｃ）は、従来技術の動作により人体検知センサ１５の動作周期が設定される様子を示す図である。なお、図中の菱形から伸びる棒線は、吐止水制御があった時間を示している。
【００８４】
図１１（Ａ）〜図１１（Ｃ）では、一例として２０時から２２時の間の１つの時間帯とそれに続く２２時から０時の間のもう一つの時間帯が示されている。図１１（Ａ）において、２０時から２２時の間の時間帯では、動作周期が２Ｈｚに設定されており、２２時から０時の間の時間帯では、動作周期が１Ｈｚに設定されている。
【００８５】
ここで、従来技術では、図１１（Ｃ）に示すように、２０時から２２時の現在の時間帯において周期設定手段３６が赤外線ＬＥＤ１５ａの動作周期を２Ｈｚに設定した後は、現在の時間帯の間に吐止水制御が行われたとしても２Ｈｚの設定が維持されている。現在の時間帯の間に吐止水制御が行われると、現在の時間帯の間に吐止水制御が１回も行われていないときと比べると、現在の時間帯の残りの時間の間に自動水栓装置が使用される可能性は低くなる。このような自動水栓装置の使用される可能性が低くなった状況のときにまで、短周期である２Ｈｚを維持しておくと、人体検知センサ１５の無駄な電力消費が発生し得る。
【００８６】
そこで、第３実施形態に係る自動水栓装置では、このような自動水栓装置の使用される可能性が低くなった状況のときに、周期変更手段３８が、２０時から２２時の現在の時間帯の残りの時間全部における赤外線ＬＥＤ１５ａの動作周期を、第２周期としての２Ｈｚの設定から、第２周期よりも長く第１周期を含む周期群のうちいずれか１つの第３周期としての１Ｈｚの設定に変更する。したがって、図１１（Ｂ）に示すように、２０時から２２時の現在の時間帯において周期設定手段３６が赤外線ＬＥＤ１５ａの動作周期を２Ｈｚに設定した後、現在の時間帯の間に吐止水制御が行われると、吐止水制御が行われてから任意の時間を経過した後に、赤外線ＬＥＤ１５ａの動作周期が１Ｈｚの設定に変更されている。
【００８７】
この結果、第３実施形態に係る自動水栓装置によれば、２Ｈｚの設定が維持されている場合に比べて、人体検知センサ１５の電力消費を抑制することができる。すなわち、第２周期に設定された後自動水栓装置１０が使用される可能性が低くなった状況になっても、第１周期の設定のときよりも電力消費の高い第２周期の設定を続けるより、第２周期の設定のままよりも電力消費の低い第３周期の設定に変更する方が、人体検知センサ１５の無駄な電力消費を抑制することができる。また、再度自動水栓装置の使用される可能性が高い吐止水制御が行われてから任意の時間は動作周期の設定を第２周期に維持することで、使用者の使い勝手を向上することができる。
【００８８】
なお、第３実施形態では、２２時から０時の現在の時間帯において周期設定手段３６が赤外線ＬＥＤ１５ａの動作周期を１Ｈｚに設定した後であっても、吐止水制御が行われてから任意の時間は２Ｈｚに設定が変更されている。この第３実施形態の構成によれば、第１周期に設定された現在の時間帯においても、吐止水制御が行われると、その吐止水制御が行われてから予め定められた任意の時間を経過するまで第１周期としての１Ｈｚの設定から第４周期としての２Ｈｚの設定に変更して、第４周期の設定を維持するので、使用者の使い勝手を上げることができる。
【００８９】
＜第４実施形態＞
次に、本発明の第４実施形態に係る自動水栓装置について説明する。第４実施形態に係る自動水栓装置は、第１実施形態に係る自動水栓装置１０と構成は同じだが、その機能、特に動作周期の変更の仕方が異なる。
【００９０】
すなわち、第４実施形態では、第２実施形態と第３実施形態の変更の仕方を組み合わせたものであり、周期変更手段３８は、周期設定手段３６が動作周期を第２周期に設定した後、現在の時間帯の間に吐止水制御が過去の同じ時間帯における吐止水制御の回数に応じた回数行われ、吐止水制御が行われてから任意の時間を経過した後に、現在の時間帯の残りの時間のうち少なくとも一部の時間における赤外線ＬＥＤ１５ａの動作周期を、第２周期の設定から、第３周期の設定に変更する。
【００９１】
具体的に、第４実施形態に係る自動水栓装置においてコントローラ１７の周期設定手段３６と周期変更手段３８で行われる制御について、図１２を用いて説明する。図１２は、第３実施形態において、自動水栓装置で行われる人体検知センサ１５の動作周期に関する動作を説明するフローチャートである。なお、図１２に示す動作は、予め定められた時間帯になった瞬間毎に開始する。
【００９２】
図１２中のステップＳＰ３０〜ステップＳＰ７０は、図１０に示す処理と同様である。ただし、ステップＳＰ６０で周期変更手段３８が肯定判定した場合には、ステップＳＰ５０の処理に移行する。なお、ステップＳＰ６０とステップＳＰ５０は、その処理順序が逆であってもよい。
【００９３】
図１３（Ａ）は、第４実施形態において、図１２に示す動作により人体検知センサ１５の赤外線ＬＥＤ１５ａの動作周期が設定される様子の一例を示す図である。図１３（Ｂ）は、第４実施形態において、図１２に示す動作により人体検知センサ１５の赤外線ＬＥＤ１５ａの動作周期が設定及び変更される様子の一例を示す図である。図１３（Ｃ）は、従来技術の動作により人体検知センサ１５の動作周期が設定される様子を示す図である。なお、図中の菱形から伸びる棒線は、吐止水制御があった時間を示している。
【００９４】
図１３（Ａ）〜図１３（Ｃ）では、一例として１６時から１８時の間の１つの時間帯とそれに続く１８時から２０時の間のもう一つの時間帯が示されている。図１３（Ａ）において、１６時から１８時の間の時間帯では、動作周期が２Ｈｚに設定されており、１８時から２０時の間の時間帯でも、動作周期が２Ｈｚに設定されている。
【００９５】
ここで、従来技術では、図１３（Ｃ）に示すように、１６時から１８時の現在の時間帯において周期設定手段３６が赤外線ＬＥＤ１５ａの動作周期を２Ｈｚに設定した後は、現在の時間帯の間に吐止水制御が何回も行われたとしても２Ｈｚの設定が維持されている。現在の時間帯の間に吐止水制御が行われると、現在の時間帯の間に吐止水制御が１回も行われていないときと比べると、現在の時間帯の残りの時間の間に自動水栓装置が使用される可能性は低くなる。このような自動水栓装置の使用される可能性が低くなった状況のときにまで、短周期である２Ｈｚを維持しておくと、人体検知センサ１５の無駄な電力消費が発生し得る。
【００９６】
そこで、第４実施形態に係る自動水栓装置では、このような自動水栓装置の使用される可能性が低くなった状況のときに、周期変更手段３８が、１６時から１８時の現在の時間帯の残りの時間における赤外線ＬＥＤ１５ａの動作周期を、第２周期としての２Ｈｚの設定から、第２周期よりも長く第１周期を含む周期群のうちいずれか１つの第３周期としての１Ｈｚの設定に変更する。したがって、図１３（Ｂ）に示すように、１６時から１８時の現在の時間帯において周期設定手段３６が赤外線ＬＥＤ１５ａの動作周期を２Ｈｚに設定した後、現在の時間帯の間に吐止水制御が複数回（過去の同じ時間帯における吐止水制御の回数と同じ回数）行われると、吐止水制御が行われてから任意の時間を経過した後に、赤外線ＬＥＤ１５ａの動作周期が１Ｈｚの設定に変更されている。
【００９７】
この結果、第４実施形態に係る自動水栓装置によれば、２Ｈｚの設定が維持されている場合に比べて、人体検知センサ１５の電力消費を抑制することができる。すなわち、第２周期に設定された後自動水栓装置１０が使用される可能性が低くなった状況になっても、第１周期の設定のときよりも電力消費の高い第２周期の設定を続けるより、第２周期の設定のままよりも電力消費の低い第３周期の設定に変更する方が、人体検知センサ１５の無駄な電力消費を抑制することができる。また、再度自動水栓装置の使用される可能性が高い吐止水制御が行われてから任意の時間は動作周期の設定を第２周期に維持することで、使用者の使い勝手を向上することができる。
【００９８】
＜変形例＞
以上、本願の開示する技術の実施形態について説明したが、本願の開示する技術は、上記に限定されるものではない。
【００９９】
例えば、第３周期は、第１周期と同じ１Ｈｚである場合を説明したが、設定された第２周期よりも長く第１周期を含む周期群のうちいずれか１つの周期であれば特に限定されず、１．５Ｈｚや、３Ｈｚ、１０Ｈｚ等であってもよい。
ただし、第３周期が第２周期と第１周期の間よりも、第１周期以上の長さであることが好ましい。これは、周期設定手段３６が予め定められた時間帯毎の過去の吐止水制御の回数に応じて現在の時間帯における赤外線ＬＥＤ１５ａの動作周期を第２周期に設定した後、現在の時間帯の間に吐止水制御が過去の同じ時間帯における吐止水制御の回数に応じた回数行われると、過去の吐止水制御の回数に応じて第１周期に設定するときに比べても、現在の時間帯の残りの時間の間に自動水栓装置の使用される可能性は同等以上に低くなるからである。したがって、第３周期を第１周期以上の長さとすることで、第３周期が第２周期よりも長く且つ第１周期よりも短い場合に比べて、人体検知センサ１５の無駄な電力消費をさらにまた抑制することができる。
【０１００】
同様に、第４周期は、第２周期と同じ２Ｈｚである場合を説明したが、第１周期よりも短い周期群のうちいずれか１つの周期であれば、特に限定されない。
【０１０１】
また、第３周期は、複数設けてもよい。例えば、第３周期は、過去の吐止水制御の回数に応じて、２Ｈｚ、３Ｈｚ、４Ｈｚ等異なっていてもよい。
【０１０２】
また、発電部１３や蓄電部１４は省略することもできる。ただし、自動水栓装置１０が発電部１３や蓄電部１４を備える場合、人体検知センサ１５の電力消費を抑制する必要性が高くなり、本発明を適用するのに好適である。
【０１０３】
また、自動水栓装置１０が発電部１３や蓄電部１４を備える場合、第３又は第４実施形態において、周期変更手段３８は、周期設定手段３６が動作周期を第２周期に設定した後、現在の時間帯の間に吐止水制御が行われると、第２周期から第１周期に変更するまでの時間、すなわち吐止水制御が行われてから任意の時間を、その吐止水制御の時間に応じて変化してもよい。この構成では、水の水力により発電する発電部１３を備えているので、吐止水制御の時間（吐水時間）が長い程発電量が上がる。したがって、周期変更手段３８が、吐止水制御の時間に応じて任意の時間を変化、例えば吐止水制御の時間が長い程、発電部１３から蓄電部１４に貯まった電力を用いて任意の時間を長くすることで、使用者の使い勝手を向上することができる。
【０１０４】
同様に、自動水栓装置１０が発電部１３や蓄電部１４を備える場合、第３又は第４実施形態において、周期変更手段３８は、周期設定手段３６が動作周期を第２周期に設定した後、現在の時間帯の間に吐止水制御が行われると、過去の吐止水制御の回数のうち現在の時間帯と同じ時間帯における過去の吐止水制御の回数に応じて、第２周期から第１周期に変更するまでの時間、すなわち吐止水制御が行われてから任意の時間を変化してもよい。この構成によれば、過去の吐止水制御が多い時間帯では、現在の時間帯において吐止水制御の後に再度使用される可能性が高いため、例えば任意の時間を長く変化することで消費を犠牲にして使い勝手を上げ、過去の吐止水制御が少ない時間帯では、現在の時間帯において吐止水制御の後に再度使用される可能性が低いため、例えば任意の時間を短く変化することで使い勝手を犠牲にして消費を抑制させることができる。これにより、再度使用される可能性が低い状況において消費を抑制させるとともに、再度使用される可能性が高い状況においては使い勝手を上げることができる。  
【０１０５】
また、使用履歴テーブル４０は、日にち等を区別せず、時間帯毎だけしか記載していないが、日にち毎、曜日毎、月毎、年毎に区別して時間帯を記載してもよい。
【０１０６】
また、実施形態の「吐止水制御」は、吐水制御と止水制御の１セットである場合を説明したが、吐水制御又は止水制御のみを含む意味であってもよい。
【０１０７】
また、実施形態の「過去の吐止水制御の回数に応じた回数」とは、過去の吐止水制御の回数と同じ回数である場合を説明したが、過去の吐止水制御の回数に例えば「１」を減算した回数や加算した回数であってもよい。
【０１０８】
また、第３又は第４実施形態において、吐止水制御の後の任意の時間によって、時間帯を跨いで次の時間帯となった場合、その吐止水制御の回数は、次の時間帯ではカウントしないようにして、いきなり第１周期にならないようにすることが好ましい。
【０１０９】
前述した各実施の形態が備える各要素は、技術的に可能な限りにおいて組み合わせることができ、これらを組み合わせたものも本発明の特徴を含む限り本発明の範囲に包含される。
【符号の説明】
【０１１０】
１０…自動水栓装置
１２…水栓本体（装置本体）
１３…発電部
１４…蓄電部
１５…人体検知センサ
３６…周期設定手段
３８…周期変更手段
【図２】
2016044521.tif 000003
【図３】
2016044521.tif 000004
【図４】
2016044521.tif 000005
【図５】
2016044521.tif 000006
【図６】
2016044521.tif 000007
【図７】
2016044521.tif 000008
【図８】
2016044521.tif 000009
【図９】
2016044521.tif 000010
【図１０】
2016044521.tif 000011
【図１１】
2016044521.tif 000012
【図１２】
2016044521.tif 000013
【図１３】
2016044521.tif 000014
【図１】
2016044521.tif 000015